(57)【要約】【課題】被着体に対して一旦保持された後、少なくとも一部を容易に脱離させることが可能なラベルを作成するためのラベル媒体を提供する。【解決手段】ラベル６０は、第１表示部５２１及び第２表示部５２２、第１巻付部５３１及び第２巻付部５３２、第１貫通部５４１及び第２貫通部５４２を有する。第１表示部５２１と第２表示部５２２は、第１仮想ライン５５０Ａを軸として対称となる。第１巻付部５３１と第２巻付部５３２は、第２仮想ライン５５０Ｂを軸として対称となる。第１貫通部５４１と第２貫通部５４２は、第３仮想ライン５５０Ｃを軸として対称となる。第１貫通部５４１に第１脆弱部８１Ａが設けられ、第２貫通部５４２に第２脆弱部８１Ｂが設けられる。第１脆弱部８１Ａと第２脆弱部８１Ｂとは、第３仮想ライン５５０Ｃを軸として対称となる。【選択図】図５
2019066535.tif 000002
【特許請求の範囲】
【請求項１】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と、前記第２孔及び／又は前記第２切れ目の少なくとも一部とは、前記第３仮想ラインを軸として対称となる位置に配置され、
前記第１貫通部の少なくとも一部に第１脆弱部が設けられ、前記第２貫通部の少なくとも一部に第２脆弱部が設けられ、
前記第１脆弱部の少なくとも一部と、前記第２脆弱部の少なくとも一部とは、前記第３仮想ラインを軸として対称となる位置に配置されたことを特徴とするラベル媒体。
【請求項２】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と、前記第２孔及び／又は前記第２切れ目の少なくとも一部とは、前記第３仮想ラインを軸として対称となる位置に配置され、
前記第１巻付部の少なくとも一部に第１脆弱部が設けられ、前記第２巻付部の少なくとも一部に第２脆弱部が設けられ、
前記第１脆弱部の少なくとも一部と、前記第２脆弱部の少なくとも一部とは、前記第２仮想ラインを軸として対称となる位置に配置されたことを特徴とするラベル媒体。
【請求項３】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と、前記第２孔及び／又は前記第２切れ目の少なくとも一部とは、前記第３仮想ラインを軸として対称となる位置に配置され、
前記第１表示部の少なくとも一部に第１脆弱部が設けられ、前記第２表示部の少なくとも一部に第２脆弱部が設けられ、
前記第１脆弱部の少なくとも一部と、前記第２脆弱部の少なくとも一部とは、前記第１仮想ラインを軸として対称となる位置に配置されたことを特徴とするラベル媒体。
【請求項４】
前記第１脆弱部及び前記第２脆弱部は、それぞれ、ミシン目、スリット、切れ込み、及び有底孔の何れかであることを特徴とする請求項１から３の何れかに記載のラベル媒体。
【請求項５】
前記第１脆弱部及び前記第２脆弱部は、それぞれ、前記切れ込みであり、
前記切れ込みの形状が三角形であることを特徴とする請求項４に記載のラベル媒体。
【請求項６】
前記第１脆弱部及び前記第２脆弱部は、それぞれ、対称軸となる仮想ラインに近接する位置に設けられたことを特徴とする請求項１から５の何れかに記載のラベル媒体。
【請求項７】
前記第１貫通部は前記第１孔を有し、前記第２貫通部は前記第２孔を有し、
前記第１脆弱部は、前記第１孔を形成する第１内周部の少なくとも一部に設けられ、
前記第２脆弱部は、前記第２孔を形成する第２内周部の少なくとも一部に設けられたことを特徴とする請求項１に記載のラベル媒体。
【請求項８】
前記第１貫通部は前記第１孔を有し、前記第２貫通部は前記第２孔を有し、
前記第１孔を形成する第１内周部の少なくとも一部は、前記第１貫通部の第１外周部のうち前記第１内周部に最も近接する第１近接外周部に対して交差する方向に延び、
前記第１脆弱部は、前記第１内周部の少なくとも一部と前記第１近接外周部との間の最も近接した部分に設けられ、
前記第２孔を形成する第２内周部の少なくとも一部は、前記第２貫通部の第２外周部のうち前記第２外周部に最も近接する第２近接外周部に対して交差する方向に延び、
前記第２脆弱部は、前記第２内周部の少なくとも一部と前記第２近接外周部との間の最も近接した部分に設けられることを特徴とする請求項１に記載のラベル媒体。
【請求項９】
前記第２仮想ラインと直交する第２直交方向における前記第１表示部及び前記第１貫通部のそれぞれの中心位置は一致し、且つ、前記第２直交方向における前記第１巻付部の中心位置と相違し、
前記第２直交方向における前記第２表示部及び前記第２貫通部のそれぞれの中心位置は一致し、且つ、前記第２直交方向における前記第２巻付部の中心位置と相違することを特徴とする請求項１から８の何れかに記載のラベル媒体。
【請求項１０】
前記第１脆弱部と前記第２脆弱部とのそれぞれの形状が相違することを特徴とする請求項１から９の何れかに記載のラベル媒体。
【請求項１１】
対称軸となる仮想ラインを基準として前記第２脆弱部を反転させたときの像全体が、前記第１脆弱部に含まれることを特徴とする請求項１０に記載のラベル媒体。
【請求項１２】
前記第１貫通部と前記第２貫通部とのそれぞれの形状が相違することを特徴とする請求項１から１１の何れかに記載のラベル媒体。
【請求項１３】
前記第１巻付部と前記第２巻付部とのそれぞれの形状が相違することを特徴とする請求項１から１２の何れかに記載のラベル媒体。
【請求項１４】
ラベルを含むラベル媒体であって、
前記ラベルは、
情報が印刷される領域を有する表示部と、
被着体に巻き付けられる巻付部と、
孔及び／又は切れ目の少なくとも一部を有する貫通部と、
を有し、
前記表示部、前記巻付部、及び前記貫通部は、この順で第１方向に並び
前記貫通部の少なくとも一部に脆弱部が設けられたことを特徴とするラベル媒体。
【請求項１５】
ラベルを含むラベル媒体であって、
前記ラベルは、
情報が印刷される領域を有する表示部と、
被着体に巻き付けられる巻付部と、
孔及び／又は切れ目の少なくとも一部を有する貫通部と、
を有し、
前記表示部、前記巻付部、及び前記貫通部は、この順で並び
前記巻付部の少なくとも一部に脆弱部が設けられたことを特徴とするラベル媒体。
【請求項１６】
ラベルを含むラベル媒体であって、
前記ラベルは、
情報が印刷される領域を有する表示部と、
被着体に巻き付けられる巻付部と、
孔及び／又は切れ目の少なくとも一部を有する貫通部と、
を有し、
前記表示部、前記巻付部、及び前記貫通部は、この順で並び
前記表示部の少なくとも一部に脆弱部が設けられたことを特徴とするラベル媒体。
【請求項１７】
前記脆弱部は、それぞれ、ミシン目、スリット、切れ込み、及び有底孔の何れかであることを特徴とする請求項１４から１６の何れかに記載のラベル媒体。
【請求項１８】
前記脆弱部は前記切れ込みであり、
前記切れ込みの形状が三角形であることを特徴とする請求項１７に記載のラベル媒体。
【請求項１９】
前記貫通部は前記孔を有し、
前記脆弱部は、前記孔を形成する内周部の少なくとも一部に設けられたことを特徴とする請求項１４に記載のラベル媒体。
【請求項２０】
前記貫通部は前記孔を有し、
前記孔を形成する内周部の少なくとも一部は、前記貫通部の外周部のうち前記内周部に最も近接する近接外周部に対して交差する方向に延び、
前記脆弱部は、前記内周部の少なくとも一部と前記近接外周部との間の最も近接した部分に設けられることを特徴とする請求項１４に記載のラベル媒体。
【請求項２１】
前記第１方向と直交する第１直交方向における前記表示部及び前記貫通部のそれぞれの中心位置は一致し、且つ、前記第１直交方向における前記巻付部の中心位置と相違することを特徴とする請求項１４から２０の何れかに記載のラベル媒体。
【発明の詳細な説明】
【技術分野】
【０００１】
本発明は、ケーブル等の被着体に巻回されて保持されるラベルを作成するためのラベル媒体に関する。
【背景技術】
【０００２】
ケーブル等の被着体に巻回されることによって被着体に保持されるラベルが知られている。特許文献１は、複数のタグラベルを有する印刷シートを開示する。印刷シートの各タグラベルは、文字又は画像が印刷される胴部位、穴を囲む輪部位、及び、胴部位と輪部位とをつなぐ首部位を有する。使用者は、胴部位の全てを輪部位の穴に挿入して首部位をケーブルに巻き付ける。タグラベルの胴部位の幅は穴より大きく、胴部位は輪部位から抜け難い構成となっている為、タグラベルはケーブルに保持される。
【先行技術文献】
【特許文献】
【０００３】
【特許文献１】特開２０１２−３７８５３号公報
【発明の概要】
【発明が解決しようとする課題】
【０００４】
上記のタグラベルは、ケーブル等の被着体に一旦取り付けられた後、容易に脱離させることが難しい。これに対し、被着体に一旦保持されたタグラベルの少なくとも一部を、被着体から脱離させたいという要求がある。
【０００５】
本発明の目的は、被着体に対して一旦保持された後、少なくとも一部を容易に脱離させることが可能なラベルを作成するためのラベル媒体を提供することである。
【課題を解決するための手段】
【０００６】
本発明の第１態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と、前記第２孔及び／又は前記第２切れ目の少なくとも一部とは、前記第３仮想ラインを軸として対称となる位置に配置され、前記第１貫通部の少なくとも一部に第１脆弱部が設けられ、前記第２貫通部の少なくとも一部に第２脆弱部が設けられ、前記第１脆弱部の少なくとも一部と、前記第２脆弱部の少なくとも一部とは、前記第３仮想ラインを軸として対称となる位置に配置されたことを特徴とする。
【０００７】
ラベル媒体から剥離されたラベルは、第１表示部と第２表示部（「表示部」という。）、第１巻付部と第２巻付部（「巻付部」という。）、第１貫通部と第２貫通部（「貫通部」という。）、及び、第１孔／第１切れ目と第２孔／第２切れ目（「孔／切れ目」という。）が互いに貼り合わせられるように折り曲げられる。折り曲げられたラベルは、孔／切れ目に表示部が挿通され、且つ、ケーブル等の被着体に巻付部が巻回されることによって、被着体に固定される。ここで第１態様では、第１貫通部に第１脆弱部が設けられ、第２貫通部に第２脆弱部が設けられる。このため、第１貫通部及び第２貫通部が第３仮想ラインで折り曲げられた場合、第１脆弱部と第２脆弱部とは重複する。従って、使用者は、第１脆弱部と第２脆弱部との重複部分でラベルを容易に破断できる。従って、ラベル媒体は、ラベルの少なくとも一部（例えば、表示部及び巻付部）を容易に切り離して脱離させることが可能なラベルを提供できる。
【０００８】
本発明の第２態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と、前記第２孔及び／又は前記第２切れ目の少なくとも一部とは、前記第３仮想ラインを軸として対称となる位置に配置され、前記第１巻付部の少なくとも一部に第１脆弱部が設けられ、前記第２巻付部の少なくとも一部に第２脆弱部が設けられ、前記第１脆弱部の少なくとも一部と、前記第２脆弱部の少なくとも一部とは、前記第２仮想ラインを軸として対称となる位置に配置されたことを特徴とする。
【０００９】
第２態様では、第１巻付部に第１脆弱部が設けられ、第２巻付部に第２脆弱部が設けられる。このため、第１巻付部及び第２巻付部が第２仮想ラインで折り曲げられた場合、第１脆弱部と第２脆弱部とは重複する。従って、使用者は、第１脆弱部と第２脆弱部との重複部分でラベルを容易に破断できる。従って、ラベル媒体は、ラベルの少なくとも一部（例えば、表示部）を容易に切り離して脱離させることが可能なラベルを提供できる。
【００１０】
本発明の第３態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と、前記第２孔及び／又は前記第２切れ目の少なくとも一部とは、前記第３仮想ラインを軸として対称となる位置に配置され、前記第１表示部の少なくとも一部に第１脆弱部が設けられ、前記第２表示部の少なくとも一部に第２脆弱部が設けられ、前記第１脆弱部の少なくとも一部と、前記第２脆弱部の少なくとも一部とは、前記第１仮想ラインを軸として対称となる位置に配置されたことを特徴とする。
【００１１】
第３態様では、第１表示部に第１脆弱部が設けられ、第２表示部に第２脆弱部が設けられる。このため、第１表示部及び第２表示部が第１仮想ラインで折り曲げられた場合、第１脆弱部と第２脆弱部とは重複する。従って、使用者は、第１脆弱部と第２脆弱部との重複部分でラベルを容易に破断できる。従って、ラベル媒体は、ラベルの少なくとも一部（例えば、表示部の一部）を容易に切り離して脱離させることが可能なラベルを提供できる。
【図面の簡単な説明】
【００１２】
【図１】印字装置１の右後下方からの斜視図である。
【図２】カバー５を開けた状態の印字装置１の斜視図である。
【図３】保護部３６の一部を切り欠いた平面図である。
【図４】テープカセット４の上ケース４７１を取り外した場合の平面図である。
【図５】ラベル６１０を示す図である。
【図６】ラベル６２０、６３０、６４０、９２０、９３０、９４０を示す図である。
【図７】ラベル６５０、６６０、６７０、９５０、９６０、９７０を示す図である。
【図８】ラベル６８０、６１１、６２１、９８０、９１１、９２１を示す図である。
【図９】ラベル６３１、６４１、６５１、９３１、９４１、９５１を示す図である。
【図１０】ラベル６６１、６７１、６８１、９６１、９７１、９８１を示す図である。
【図１１】ラベル６９０を示す図である。
【図１２】ラベル９１０を示す図である。
【図１３】第１実施形態におけるラベル６１０の変形例を示す図である。
【発明を実施するための形態】
【００１３】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００１４】
＜印字装置１の概略構成＞
本実施形態に係る印字装置１の概略構成について、図１から図３を参照して説明する。以下の説明では、図１の上方、下方、右下方、左上方、右上方、左下方を、それぞれ、印字装置１の前方、後方、右方、左方、上方、および下方と定義する。
【００１５】
図１に示すように、印字装置１の形状は、略直方体状である。印字装置１は、本体筐体２とカバー５とを有する。本体筐体２およびカバー５は樹脂製である。本体筐体２の上面の下側部分には、キーボード１１が設けられる。キーボード１１は種々の文字入力等を行う。キーボード１１の上方には、機能キー群１２が設けられる。機能キー群１２は、電源の入切、印字キーや印字装置１の各種制御を行う。機能キー群１２の上方には、液晶ディスプレイ１３が設けられる。液晶ディスプレイ１３は、入力した文字や記号等を表示する。カバー５は、本体筐体２の後側に開閉自在に取り付けられる。
【００１６】
図２、図３に示すように、本体筐体２の右下側角部には、３本の電池を着脱可能な電池装着部２１が設けられる。電池装着部２１の上側に隣接して、カセット装着部２２が設けられる。カセット装着部２２は、テープカセット４を後方から着脱可能である。カセット装着部２２の下端部から後方に向けてフック２５１が突出し、カセット装着部２２の上端部から後方に向けてフック２５２が突出する。フック２５１、２５２は、カセット装着部２２に装着されたテープカセット４に係合可能である。
【００１７】
本体筐体２の上側には、ラベル排出口２６が設けられる。ラベル排出口２６の右側の角部には、切断用ノブ１４が設けられる。切断用ノブ１４は、内側へ押圧操作されることによって、ラベル排出口２６の内側に設けられた可動刃１４１を固定刃１４２側へ移動させて、印刷済みのラベル媒体６０（図４参照）を切断する。固定刃１４２と可動刃１４１とによって切断された印刷済みのラベル媒体６０は、ラベル排出口２６から排出される。
【００１８】
図３に示すように、カセット装着部２２には、サーマルヘッド２９、プラテンローラ３０、テープサブローラ３１、テープ駆動ローラ軸３２およびリボン巻取軸３３等が配置される。プラテンローラ３０は、サーマルヘッド２９の右方に設けられる。テープサブローラ３１は、プラテンローラ３０の上側近傍に設けられる。テープ駆動ローラ軸３２は、テープサブローラ３１の左側に設けられる。リボン巻取軸３３は、カセット装着部２２の略中央に設けられる。
【００１９】
サーマルヘッド２９は、ヘッドホルダ２９１の右方を向く面に配設される。ヘッドホルダ２９１は、テープカセット４のヘッド挿入部４２におけるラベル媒体６０の搬送方向に略直交するように、カセット装着部２２に設けられる。
【００２０】
リボン巻取軸３３は、テープカセット４に設けられたリボン巻取スプール４３１に嵌入されて回転駆動する。テープ駆動ローラ軸３２は、テープカセット４に設けられたテープ送りローラ４３２に嵌入されて回転駆動する。リボン巻取軸３３とテープ駆動ローラ軸３２とは、ラベル媒体６０とインクリボン４１３（図４参照）とが同じ搬送速度で搬送されるように回転駆動される。
【００２１】
図２に示すように、本体筐体２の上下方向略中央より上側の右端部には、保護部３６が設けられる。保護部３６は、左方へ開口する。保護部３６には、貫通孔であるカム案内孔３６１およびカム案内孔３６２が形成される。保護部３６の前方には、図３に示すプラテンホルダ３８が、回動軸３７を中心に回動可能に軸支される。プラテンローラ３０とテープサブローラ３１とが、プラテンホルダ３８によって、平面視反時計回りに回転可能に軸支される。非図示のバネは、プラテンホルダ３８が回動軸３７を中心に右方へ回動するように付勢する。
【００２２】
＜テープカセット４の概略構成＞
テープカセット４の概略構成について説明する。なお、以下の説明では、図４の下方、上方、右方、左方、紙面前方、および紙面後方を、それぞれ、テープカセット４の前方、後方、右方、左方、上方、および下方とする。
【００２３】
図２に示すように、テープカセット４の形状は、平面視略長方形の箱型状である。テープカセット４は、上ケース４７１及び下ケース４７２を有する。図４に示すように、テープカセット４には、支持孔７１１、支持孔７１２、および支持孔７１３が形成される。支持孔７１１は、テープスプール７２を回動可能に支持する。ラベル媒体６０は、テープスプール７２に巻回される。テープスプール７２は、ラベル媒体６０が巻回されたロール６００を保持する。支持孔７１２は、リボン巻取スプール４３１を支持する。リボン巻取スプール４３１は、リボンスプール７４からインクリボン４１３を巻き取る。テープスプール７２およびリボンスプール７４は、それぞれ、下ケース４７２の下面に立設されたカセットボス７５１およびリールボス７５２に回転可能に嵌挿される。支持孔７１３は、テープ送りローラ４３２を回転可能に支持する。テープ送りローラ４３２とテープサブローラ３１（図３参照）とにより、テープスプール７２のロール６００からラベル媒体６０を引き出す。
【００２４】
テープカセット４の前面部には、アーム状に突出するアーム部４５が設けられる。ヘッド挿入部４２は、アーム部４５とアーム部４５に対向する側壁部７８１とによって、平面視略Ｕ字状に形成される。ヘッド挿入部４２には、ヘッドホルダ２９１（図３参照）が挿入される。
【００２５】
テープ送りローラ４３２の前側近傍には、上下一対の案内部材４９が設けられる。案内部材４９の後側近傍には、リボン分離部７６が設けられる。アーム部４５の前面壁部７０１と、ヘッド挿入部４２側の背面壁部７８３との間の中央部には、薄板状の分離壁７８２が設けられる。分離壁７８２の左側近傍には、アーム開口部７９が形成される。
【００２６】
＜印刷手順の概要＞
図２、図３、図４に示すように、テープカセット４のリボン巻取スプール４３１およびテープ送りローラ４３２に、それぞれ、リボン巻取軸３３およびテープ駆動ローラ軸３２が嵌入されつつ、ヘッド挿入部４２にヘッドホルダ２９１が挿入される。カセット装着部２２の底面部に立設された位置決ボス４１が、カセットボス７５１に嵌入される。これにより、テープカセット４は、位置決めされた状態で押し込まれ、カセット装着部２２に装着される。テープカセット４がカセット装着部２２に装着された後、カバー５が閉じられる。カバー５が閉じた場合、カバー５に設けられたローラホルダカム（非図示）が、カム案内孔３６１に嵌入される。ローラホルダカムは、プラテンホルダ３８を左方へ押圧する。プラテンホルダ３８は、非図示のバネの付勢力に抗して左方へ回動される。
【００２７】
ラベル媒体６０は、テープスプール７２からガイドピン７３２を経てアーム部４５の前面壁部７０１と分離壁７８２との間を搬送される。インクリボン４１３は、リボンスプール７４からガイドピン７３３を経てアーム部４５の背面壁部７８３と分離壁７８２との間を搬送される。次いで、インクリボン４１３とラベル媒体６０とは、重ね合わされてアーム開口部７９からヘッド挿入部４２へ搬送される。次いで、ラベル媒体６０とインクリボン４１３とは、プラテンローラ３０によってサーマルヘッド２９に押圧される。サーマルヘッド２９の発熱により、インクリボン４１３は上側から加熱される。これにより、ラベル媒体６０にインクが熱転写され、文字等の情報が印刷される。
【００２８】
次いで、インクリボン４１３は、リボン分離部７６によってラベル媒体６０から分離される。分離されたインクリボン４１３は、ガイドピン７３１を経てリボン巻取スプール４３１に巻き取られる。リボン分離部７６によってインクリボン４１３が分離された印刷済みのラベル媒体６０は、案内部材４９によって上下方向に規制されてテープ送りローラ４３２へ搬送される。次いで、印刷済みのラベル媒体６０は、テープ駆動ローラ軸３２によって回転駆動されるテープ送りローラ４３２に対し、テープサブローラ３１によって押圧される。印刷済みのラベル媒体６０は、テープ送りローラ４３２の回転によりラベル排出口２６から排出される。
【００２９】
＜ラベル媒体６０＞
図５を参照し、ラベル媒体６０について説明する。ラベル媒体６０は、それぞれが長尺状の基材５１１及び台紙５１２を有する。基材５１１及び台紙５１２は同一形状を有する。基材５１１は、後述するラベル６０Ａ、６０Ｂ、６０Ｃ・・・（総称して「ラベル６１０」という。）、及び、枠状部５０を有する。ラベル６０Ａ、６０Ｂ、６０Ｃ・・・は、ラベル媒体６０の長尺方向に並んで配置される。ラベル６１０には、インクリボン４１３（図４参照）のインクが転写される。台紙５１２は、ラベル６１０の使用時に剥離される剥離紙である。基材５１１（ラベル６１０及び枠状部５０）と台紙５１２とは積層される。基材５１１と台紙５１２とのそれぞれの対向面に、粘着剤が塗布される。粘着剤は、基材５１１と台紙５１２との間に粘着層を形成する。ラベル６１０及び枠状部５０は、粘着剤によって台紙５１２に貼付される。図５（Ａ）の左右方向は、ラベル媒体６０の基材５１１及び台紙５１２のそれぞれの面と平行に延び、ラベル媒体６０の長尺方向に対応する。ラベル媒体６０のうち図５（Ａ）の右側の端部は、テープスプール７２に接続する。ラベル媒体６０は、図５（Ａ）の左側の端部側から順にサーマルヘッド２９の近傍を通過して印刷が実行され、ラベル排出口２６を介して排出される。
【００３０】
以下、ラベル媒体６０の長尺方向のうちテープスプール７２に接続する側と反対側（図５（Ａ）における左側）を、「第１側」といい、ラベル媒体６０の長尺方向のうちテープスプール７２に接続する側（図５（Ａ）における右側）を、「第２側」という。長尺方向と直交する方向を「直交方向」という。直交方向のうち一方側（図５（Ａ）における上側）を、「第３側」といい、直交方向のうち他方側（図５（Ａ）における下側）を、「第４側」という。
【００３１】
＜第１実施形態：ラベル６１０＞
図５（Ａ）に示すように、ラベル６１０は、第１表示部５２１、第２表示部５２２、第１巻付部５３１、第２巻付部５３２、第１貫通部５４１、第２貫通部５４２を有する。第１表示部５２１及び第２表示部５２２は同一形状且つ同一サイズを有する。第１巻付部５３１及び第２巻付部５３２は同一形状且つ同一サイズを有する。第１貫通部５４１及び第２貫通部５４２は同一形状且つ同一サイズを有する。第１表示部５２１、第２表示部５２２を総称して「表示部５２」という。第１巻付部５３１、第２巻付部５３２を総称して「巻付部５３」という。第１貫通部５４１、第２貫通部５４２を総称して「貫通部５４」という。
【００３２】
表示部５２は略長方形である。表示部５２の長手方向は長尺方向に延びる。第１表示部５２１及び第２表示部５２２は、直交方向に並ぶ。第１表示部５２１は、第２表示部５２２に対して第３側に配置される。第１表示部５２１の第４側の端部と、第２表示部５２２の第３側の端部とは、第１ライン５５１を介して互いに連結される。第１ライン５５１は、長尺方向と平行に延びる。第１ライン５５１は、基材５１１に形成されたミシン目である。第１ライン５５１を通って長尺方向に延びる仮想的なラインを、「第１仮想ライン５５０Ａ」という。第１表示部５２１及び第２表示部５２２は、第１仮想ライン５５０Ａを基準として線対称となる位置に配置される。
【００３３】
表示部５２はインクリボン４１３（図４参照）のインクが転写されることによって情報が印刷される領域５２Ａを有する。第１表示部５２１が有する領域５２Ａを、「領域５２１Ａ」といい、第２表示部５２２が有する領域５２Ａを、「領域５２２Ａ」という。
【００３４】
巻付部５３は略長方形である。巻付部５３の長手方向は長尺方向に延びる。巻付部５３の直交方向の長さは、表示部５２の直交方向の長さよりも短い。巻付部５３は、表示部５２の第１側の端部のうち直交方向の中央から、第１側に向けて延びる。表示部５２及び巻付部５３のそれぞれの直交方向における中心の位置は、一致する。第１巻付部５３１及び第２巻付部５３２は、間隔を空けて直交方向に並ぶ。第１巻付部５３１は、第２巻付部５３２に対して第３側に配置される。第１巻付部５３１及び第２巻付部５３２は、第１仮想ライン５５０Ａと同じ位置を通過する第２仮想ライン５５０Ｂを基準として線対称となる位置に配置される。
【００３５】
貫通部５４は略長方形である。貫通部５４の長手方向は長尺方向に延びる。貫通部５４の直交方向の長さは、表示部５２の直交方向の長さと同一であり、巻付部５３の直交方向の長さよりも長い。貫通部５４は、巻付部５３の第１側の端部から第１側に向けて延びる。表示部５２、巻付部５３、及び貫通部５４は、この順で、長尺方向に沿って第１側に向けて並ぶ。第１貫通部５４１及び第２貫通部５４２は、直交方向に並ぶ。第１貫通部５４１は、第２貫通部５４２に対して第３側に配置される。第１貫通部５４１の第４側の端部と、第２貫通部５４２の第３側の端部とは、第２ライン５５２を介して互いに連結される。第２ライン５５２は、第１仮想ライン５５０Ａ及び第２仮想ライン５５０Ｂと同じ位置を通過する第３仮想ライン５５０Ｃに沿って延びる。第２ライン５５２は、基材５１１に形成されたミシン目である。第１貫通部５４１及び第２貫通部５４２は、第３仮想ライン５５０Ｃを基準として線対称となる位置に配置される。
【００３６】
第１貫通部５４１は第１孔５４１Ａを有し、第２貫通部５４２は第２孔５４２Ａを有する。第１孔５４１Ａ、第２孔５４２Ａは略長方形であり、互いに同一形状且つ同一サイズを有する。第１孔５４１Ａ、第２孔５４２Ａのそれぞれの角は湾曲する。第１孔５４１Ａ、第２孔５４２Ａは、第３仮想ライン５５０Ｃを基準として線対称となる位置に配置される。第１孔５４１Ａ、第２孔５４２Ａを総称して、「孔５４Ａ」という。ラベル６１０は、表示部５２及び巻付部５３が貫通部５４の孔５４Ａに貫通することによって、被着体Ｋに取り付けられる。
【００３７】
第１貫通部５４１には第１脆弱部８１Ａが設けられる。第１脆弱部８１Ａは、略三角形の切れ込みである。第１脆弱部８１Ａは、第１貫通部５４１の第１孔５４１Ａを形成する内周部（以下、「第１内周部５４１Ｂ」という。）のうち、直交方向において第３仮想ライン５５０Ｃから離隔する側の端部、且つ、長尺方向において第１巻付部５３１から離隔する位置に設けられる。第１脆弱部８１Ａは、第１内周部５４１Ｂから第３側に向けて延びる。第１脆弱部８１Ａの幅は、第３側の底部に向かう程小さくなる。第１脆弱部８１Ａの底部は尖っている。第２貫通部５４２には第２脆弱部８１Ｂが設けられる。第２脆弱部８１Ｂは、略三角形の切れ込みである。第２脆弱部８１Ｂは、第２貫通部５４２の第２孔５４２Ａを形成する内周部（以下、「第２内周部５４２Ｂ」という。）のうち、直交方向において第３仮想ライン５５０Ｃから離隔する側の端部、且つ、長尺方向において第２巻付部５３２から離隔する位置に設けられる。第２脆弱部８１Ｂは、第２内周部５４２Ｂから第４側に向けて延びる。第２脆弱部８１Ｂの幅は、第４側の底部に向かう程小さくなる。第２脆弱部８１Ｂの底部は尖っている。
【００３８】
第１脆弱部８１Ａ及び第２脆弱部８１Ｂは、互いに同一形状且つ同一サイズを有する。第１脆弱部８１Ａ及び第２脆弱部８１Ｂは、第３仮想ライン５５０Ｃを基準として線対称となる位置に配置される。第１脆弱部８１Ａ及び第２脆弱部８１Ｂを総称して、「脆弱部８１」という。第１内周部５４１Ｂ及び第２内周部５４２Ｂを総称して、「内周部５４Ｂ」（図５（Ｃ）参照）という。
【００３９】
枠状部５０は、基材５１１のうちラベル６１０を除く部位である。基材５１１のうちラベル６１０と枠状部５０との境界部分には、切れ目が形成される。使用者は、基材５１１を切れ目によって切り離すことによって、台紙５１２からラベル６１０のみを剥がすことができる。この時、枠状部５０が台紙５１２に貼付された状態は維持される。
【００４０】
図５（Ｂ）を参照し、ケーブル状の被着体Ｋに対するラベル６１０の取り付け方法について説明する。印字装置１は、ラベル６１０の表示部５２の領域５２Ａに対して情報を印刷する。なお、図５（Ｂ）では、印刷された情報は省略されている。（ａ）に示すように、ラベル媒体６０の台紙５１２からラベル６１０が剥がされる。（ｂ）に示すように、使用者は、ラベル６１０を第１ライン５５１及び第２ライン５５２で折り曲げ、ラベル６１０のうち粘着剤が塗布された面同士を貼り合わせる。
【００４１】
ここで、第１表示部５２１及び第２表示部５２２は、第１仮想ライン５５０Ａ（図５（Ａ）参照）を基準として線対称の形状を有する。第１巻付部５３１及び第２巻付部５３２は、第２仮想ライン５５０Ｂ（図５（Ａ）参照）を基準として線対称の形状を有する。第１貫通部５４１及び第２貫通部５４２、第１孔５４１Ａ及び第２孔５４２Ａ、第１脆弱部８１Ａ及び第２脆弱部８１Ｂは、それぞれ、第３仮想ライン５５０Ｃ（図５（Ａ）参照）を基準として、線対称の形状を有する。従って、第１表示部５２１及び第２表示部５２２、第１巻付部５３１及び第２巻付部５３２、第１貫通部５４１及び第２貫通部５４２、第１孔５４１Ａ及び第２孔５４２Ａ、及び、第１脆弱部８１Ａ及び第２脆弱部８１Ｂは、それぞれ、第１ライン５５１及び第２ライン５５２によってラベル６１０が折り曲げられたときにずれなく重複した状態で貼付される（図５（Ｃ）参照）。
【００４２】
図５（Ｃ）に示すように、折り曲げられた状態のラベル６１０の脆弱部８１は、貫通部５４の長尺方向の中心に対して、巻付部５３から離隔する側、且つ、直交方向の中心に対して第３仮想ライン５５０Ｃ（図５（Ａ）参照）から離隔する側に設けられる。
【００４３】
図５（Ｂ）の（ｃ）に示すように、使用者は巻付部５３を折り曲げ、表示部５２及び巻付部５３を貫通部５４の孔５４Ａに通す。これにより、巻付部５３は被着体Ｋに巻き付く。次に使用者は、（ｄ）に示すように、表示部５２及び巻付部５３を引っ張る。被着体Ｋに対して巻付部５３が締め付けられる。これにより、被着体Ｋに対するラベル６１０の取り付けは完了する。ラベル６１０は、被着体Ｋに巻付部５３が巻き付いた状態で、被着体Ｋに保持される。
【００４４】
＜第１実施形態の作用、効果＞
以上のように、ラベル媒体６０から剥離されたラベル６１０は、第１表示部５２１及び第２表示部５２２、第１巻付部５３１及び第２巻付部５３２、第１貫通部５４１及び第２貫通部５４２、第１孔５４１Ａ及び第２孔５４２Ａが互いに貼り合わせられるように折り曲げられる。折り曲げられたラベル６１０は、孔５４Ａに表示部５２が挿通され、且つ、被着体Ｋに巻付部５３が巻回されることによって、被着体Ｋに固定される。
【００４５】
第１貫通部５４１に第１脆弱部８１Ａが設けられ、第２貫通部５４２に第２脆弱部８１Ｂが設けられる。第１貫通部５４１及び第２貫通部５４２が第３仮想ライン５５０Ｃで折り曲げられた場合、第１脆弱部８１Ａと第２脆弱部８１Ｂとはずれなく重複して貼り合わせられる。これによって、貼り付けられた状態のラベル６１０の貫通部５４に脆弱部８１が形成される。貫通部５４のうち脆弱部８１が形成された部分の強度は、他の部分よりも弱くなる。従って、使用者は、脆弱部８１でラベル６１０を容易に破断させることができる。この場合、貫通部５４のうち脆弱部８１よりも巻付部５３側、巻付部５３、及び表示部５２を、被着体Ｋから容易に切り離して脱離させることができる。
【００４６】
第１脆弱部８１Ａ及び第２脆弱部８１Ｂは、それぞれ切れ込みである。この場合、ラベル６１０は、脆弱性が高く破断させ易い脆弱部８１を、切れ込みによって実現できる。従って、使用者は、脆弱部８１に力を加えることによってラベル６１０を容易に破断させ、ラベル６１０の一部を切り離すことができる。
【００４７】
第１脆弱部８１Ａ及び第２脆弱部８１Ｂの形状は、それぞれ三角形である。第１脆弱部８１Ａ及び第２脆弱部８１Ｂは、それぞれ、底部に向かう程幅が小さくなり、且つ、底部は尖っている。この場合、ラベル６１０は、使用者により加えられた力を、脆弱部８１の底部に集中して作用させることができる。従って、使用者は、弱い力でも簡単にラベル６１０を破断させ、ラベル６１０の一部を切り離すことができる。
【００４８】
例えば使用者が、被着体Ｋに保持された状態のラベル６１０のうち表示部５２又は巻付部５３を持って引っ張った場合、貫通部５４のうち孔５４Ａを形成する内周部５４Ｂには、他の部分よりも大きな力が作用する。これに対し、第１脆弱部８１Ａは、第１貫通部５４１の第１内周部５４１Ｂに設けられ、第２脆弱部８１Ｂは、第２貫通部５４２の第２内周部５４２Ｂに設けられる。このため、使用者が表示部５２又は巻付部５３を持って引っ張ったときに作用する力を、脆弱部８１に効率的に付与できる。従って、使用者は、ラベル６１０のうち表示部５２又は巻付部５３を持って引っ張ることによって、ラベル６１０の一部を容易に切り離すことができる。
【００４９】
使用者が表示部５２又は巻付部５３を持って引っ張った場合、貫通部５４のうち脆弱部８１よりも巻付部５３側、巻付部５３、及び表示部５２が被着体Ｋから切り離される。これに対し、脆弱部８１は、貫通部５４の長尺方向における中心に対して、巻付部５３から離隔する位置に形成される。このため、脆弱部８１の位置で貫通部５４が破断した場合において被着体Ｋに残存する貫通部５４の量は、脆弱部８１が巻付部５３に近接する位置に形成された場合よりも少なくなる。このため、ラベル６１０は、脆弱部８１で貫通部５４を破断させたときに被着体Ｋに残存するラベル６１０の量を抑制できる。
【００５０】
＜第２実施形態：ラベル６２０＞
図６（Ａ）（Ｂ）を参照し、ラベル６２０について説明する。ラベル６２０は、第１脆弱部８２Ａ及び第２脆弱部８２Ｂを有する。第１脆弱部８２Ａ及び第２脆弱部８２Ｂは、それぞれ、ラベル６１０（図５参照）における第１脆弱部８１Ａ及び第２脆弱部８１Ｂ（図５参照）と同一形状且つ同一サイズを有する。ラベル６２０は、第１脆弱部８２Ａ及び第２脆弱部８２Ｂが設けられる位置がラベル６１０と相違する。その他の構成はラベル６１０と同一である。以下、ラベル６１０と同一構成については同一符号を付し、説明を省略する。
【００５１】
図６（Ａ）に示すように、第１脆弱部８２Ａは、第１貫通部５４１の第１内周部５４１Ｂのうち、長尺方向において第１巻付部５３１から離隔する側の端部、且つ、直交方向において第３仮想ライン５５０Ｃに近接する位置に設けられる。第１脆弱部８２Ａは、第１内周部５４１Ｂから第１側に向けて延びる。第２脆弱部８２Ｂは、第２貫通部５４２の第２内周部５４２Ｂのうち、長尺方向において第２巻付部５３２から離隔する側の端部、且つ、直交方向において第３仮想ライン５５０Ｃに近接する位置に設けられる。第２脆弱部８２Ｂは、第２内周部５４２Ｂから第１側に向けて延びる。第１脆弱部８２Ａ及び第２脆弱部８２Ｂは、第３仮想ライン５５０Ｃを基準として線対称となる位置に配置される。第１脆弱部８２Ａ及び第２脆弱部８２Ｂを総称して、「脆弱部８２」（図６（Ｂ）参照）という。
【００５２】
図６（Ｂ）に示すように、ラベル６２０が第１ライン５５１及び第２ライン５５２で折り曲げられた場合、脆弱部８２は、貫通部５４の長尺方向における中心に対して、巻付部５３から離隔する側、且つ、直交方向における中心に対して、第３仮想ライン５５０Ｃ（図６（Ａ）参照）に近接する側に配置される。
【００５３】
＜第２実施形態の作用、効果＞
ラベル６２０において、第１脆弱部８２Ａ及び第２脆弱部８２Ｂは、それぞれ、貫通部５４の直交方向における中心に対して、第３仮想ライン５５０Ｃに近接する位置に設けられる。この場合、使用者は、第３仮想ライン５５０Ｃでラベル６２０を折り曲げる場合において、第１脆弱部８２Ａと第２脆弱部８２Ｂとをずれなく適切に重ね合わせることができる。又、脆弱部８２は、貫通部５４の長尺方向における中心に対して、巻付部５３から離隔する位置に形成される。このため、第２実施形態の場合と同様、ラベル６２０は、脆弱部８１で貫通部５４を破断させたときに被着体Ｋに残存するラベル６１０の量を抑制できる。
【００５４】
＜第３実施形態：ラベル６３０＞
図６（Ｃ）（Ｄ）を参照し、ラベル６３０について説明する。ラベル６３０は、第１脆弱部８３Ａ及び第２脆弱部８３Ｂを有する。第１脆弱部８３Ａ及び第２脆弱部８３Ｂは、それぞれ、ラベル６１０（図５参照）における第１脆弱部８１Ａ及び第２脆弱部８１Ｂ（図５参照）と同一形状且つ同一サイズを有する。ラベル６３０は、第１脆弱部８３Ａ及び第２脆弱部８３Ｂが設けられる位置が、ラベル６１０、６２０と相違する。その他の構成はラベル６１０、６２０と同一である。以下、ラベル６１０と同一構成については同一符号を付し、説明を省略する。
【００５５】
図６（Ｃ）に示すように、第１脆弱部８３Ａは、第１貫通部５４１の第１内周部５４１Ｂのうち、直交方向において第３仮想ライン５５０Ｃに近接する側の端部、且つ、長尺方向において第１巻付部５３１に近接する位置に設けられる。第１脆弱部８３Ａは、第１内周部５４１Ｂから第４側に向けて延びる。第２脆弱部８３Ｂは、第２貫通部５４２の第２内周部５４２Ｂのうち、直交方向において第３仮想ライン５５０Ｃに近接する側の端部、且つ、長尺方向において第２巻付部５３２に近接する位置に設けられる。第２脆弱部８３Ｂは、第２内周部５４２Ｂから第３側に向けて延びる。第１脆弱部８３Ａ及び第２脆弱部８３Ｂは、第３仮想ライン５５０Ｃを基準として線対称となる位置に配置される。第１脆弱部８３Ａ及び第２脆弱部８３Ｂを総称して、「脆弱部８３」（図６（Ｄ）参照）という。
【００５６】
図６（Ｄ）に示すように、ラベル６３０が第１ライン５５１及び第２ライン５５２で折り曲げられた場合、脆弱部８３は、貫通部５４の長尺方向における中心に対して、巻付部５３に近接する側、且つ、貫通部５４の直交方向における中心に対して、第３仮想ライン５５０Ｃ（図６（Ｃ）参照）に近接する側に配置される。
【００５７】
＜第３実施形態の作用、効果＞
ラベル６３０において、第１脆弱部８３Ａ及び第２脆弱部８３Ｂは、それぞれ、貫通部５４の直交方向における中心に対して、第３仮想ライン５５０Ｃに近接する位置に設けられる。この場合、第２実施形態の場合と同様、使用者は、第３仮想ライン５５０Ｃでラベル６３０を折り曲げる場合において、第１脆弱部８３Ａと第２脆弱部８３Ｂとをずれなく適切に重ね合わせることができる。なお、ラベル６３０において、脆弱部８３は、貫通部５４の内周部５４Ｂのうち、直交方向において第３仮想ライン５５０Ｃに近接する側に設けられ、且つ、第３仮想ライン５５０Ｃ側に向けて延びる。このため、脆弱部８３と第３仮想ライン５５０Ｃとの間の距離は、第２実施形態の場合（図６（Ａ）（Ｂ）参照）よりも短い。このため、使用者は、第１脆弱部８３Ａと第２脆弱部８３Ｂをより正確に重ね合わせることができる。
【００５８】
＜第４実施形態：ラベル６４０＞
図６（Ｅ）（Ｆ）を参照し、ラベル６４０について説明する。ラベル６４０は、第１脆弱部８４Ａ及び第２脆弱部８４Ｂを有する。第１脆弱部８４Ａ及び第２脆弱部８４Ｂは、それぞれ、ラベル６１０（図５参照）における第１脆弱部８１Ａ及び第２脆弱部８１Ｂ（図５参照）と同一形状且つ同一サイズを有する。ラベル６４０は、第１脆弱部８４Ａ及び第２脆弱部８４Ｂが設けられる位置が、ラベル６１０、６２０、６３０と相違する。その他の構成はラベル６１０、６２０、６２０、６３０と同一である。以下、ラベル６１０と同一構成については同一符号を付し、説明を省略する。
【００５９】
図６（Ｅ）に示すように、第１脆弱部８４Ａは、第１貫通部５４１の外周部のうち、直交方向において第３仮想ライン５５０Ｃから離隔する側の端部、且つ、長尺方向において第１巻付部５３１に近接する位置に設けられる。第１脆弱部８４Ａは、第１貫通部５４１の外周部から第４側に向けて延びる。第２脆弱部８４Ｂは、第２貫通部５４２の外周部のうち、直交方向において第３仮想ライン５５０Ｃから離隔する側の端部、且つ、長尺方向において第２巻付部５３２に近接する位置に設けられる。第２脆弱部８４Ｂは、第２貫通部５４２の外周部から第３側に向けて延びる。第１脆弱部８４Ａ及び第２脆弱部８４Ｂは、第３仮想ライン５５０Ｃを基準として線対称となる位置に配置される。第１脆弱部８４Ａ及び第２脆弱部８４Ｂを総称して、「脆弱部８４」（図６（Ｆ）参照）という。
【００６０】
図６（Ｆ）に示すように、ラベル６４０が第１ライン５５１及び第２ライン５５２で折り曲げられた場合、脆弱部８４は、貫通部５４の長尺方向における中心に対して、巻付部５３に近接する側、且つ、直交方向における中心に対して、第３仮想ライン５５０Ｃ（図６（Ｃ）参照）に近接する側に設けられる。
【００６１】
＜第４実施形態の作用、効果＞
ラベル６４０において、脆弱部８４は、貫通部５４の外周部に設けられる。このため、使用者は、脆弱部８４を指で直接摘まんで引き裂くことによって、貫通部５４を破断させることができる。従って、使用者は、被着体Ｋに余分な負荷を加えることなくラベル６４０を破断させることができる。
【００６２】
＜第５実施形態：ラベル６５０＞
図７（Ａ）（Ｂ）を参照し、ラベル６５０について説明する。ラベル６５０は、第１内周部５７１Ｂ及び第２内周部５７２Ｂの形状が、ラベル６１０の第１内周部５４１Ｂ及び第２内周部５４２Ｂの形状と相違する。その他の構成はラベル６１０と同一である。以下、ラベル６１０と同一構成については同一符号を付し、説明を省略する。
【００６３】
図７（Ａ）に示すように、ラベル６５０の第１貫通部５４１は、第１孔５４１Ａを形成する第１内周部５７１Ｂを有する。第１内周部５７１Ｂのうち、第１巻付部５３１から離隔する側の端部（以下、「第１近接内周部Ｐ１」という。）は、直交方向に対して傾斜する。第１貫通部５４１の外周部（以下、「第１外周部５７１Ｃ」という。）のうち、第１巻付部５３１から離隔する側の端部（以下、「第１近接外周部Ｑ１」という。）は、第１外周部５７１Ｃのうち第１近接内周部Ｐ１に対して最も近接する部分に対応する。第１近接外周部Ｑ１は直交方向に延びる。第１近接内周部Ｐ１のうち第１近接外周部Ｑ１に最も近接する部分、即ち、第１近接内周部Ｐ１のうち第３仮想ライン５５０Ｃから最も離隔する部分を、第１脆弱部８５Ａという。
【００６４】
ラベル６５０の第２貫通部５４２は、第２孔５４２Ａを形成する第２内周部５７２Ｂを有する。第２内周部５７２Ｂのうち、第２巻付部５３２から離隔する側の端部（以下、「第２近接内周部Ｐ２」という。）は、直交方向に対して傾斜する。第２貫通部５４２の外周部（以下、「第２外周部５７２Ｃ」という。）のうち、第２巻付部５３２から離隔する側の端部（以下、「第２近接外周部Ｑ２」という。）は、第２外周部５７２Ｃのうち第２近接内周部Ｐ２に対して最も近接する部分に対応する。第２近接外周部Ｑ２は直交方向に延びる。第２近接内周部Ｐ２のうち第２近接外周部Ｑ２に最も近接する部分、即ち、第２近接内周部Ｐ２のうち第３仮想ライン５５０Ｃから最も離隔する部分を、第２脆弱部８５Ｂという。
【００６５】
第１脆弱部８５Ａ及び第２脆弱部８５Ｂは、互いに同一形状且つ同一サイズを有する。第１脆弱部８５Ａ及び第２脆弱部８５Ｂは、第３仮想ライン５５０Ｃを基準として線対称となる位置に配置される。第１脆弱部８５Ａ及び第２脆弱部８５Ｂを総称して、「脆弱部８５」（図７（Ｂ）参照）という。第１内周部５７１Ｂ及び第２内周部５７２Ｂを総称して、「内周部５７Ｂ」（図７（Ｂ）参照）という。第１外周部５７１Ｃ及び第２外周部５７２Ｃを総称して、「外周部５７Ｃ」（図７（Ｂ）参照）という。
【００６６】
図７（Ｂ）に示すように、ラベル６５０が第１ライン５５１及び第２ライン５５２で折り曲げられた場合、脆弱部８５は、貫通部５４の長尺方向における中心に対して、巻付部５３から離隔する側、且つ、直交方向における中心に対して、第３仮想ライン５５０Ｃ（図６（Ａ）参照）から離隔する側に設けられる。
【００６７】
＜第５実施形態の作用、効果＞
被着体Ｋに保持された状態のラベル６５０の表示部５２又は巻付部５３が使用者によって引っ張られた場合、孔５４Ａを形成する内周部５７Ｂに大きな力が加わる。この力は、貫通部５４のうち内周部５７Ｂと外周部５７Ｃとの間の最も近接した部分に形成された脆弱部８５に集中して作用する。更に、脆弱部８５は、貫通部５４のうち内周部５７Ｂと外周部５７Ｃとの間の長さが最も短い部分に形成されるため、貫通部５４の他の部分に比べて強度が小さく破断し易い。従って、使用者は、表示部５２又は巻付部５３を持ってラベル６５０を引っ張ることによって、ラベル６５０の一部を容易に切り離すことができる。
【００６８】
ラベル６５０では、第１〜第４実施形態と異なり、貫通部５４の内周部５４Ｂに切れ込み状の脆弱部が形成されない。このため、使用者が表示部５２及び巻付部５３を貫通部５４の孔５４Ａに通すとき、表示部５２及び巻付部５３が切れ込み状の脆弱部に引っ掛かりにくい。このため、ラベル６５０を被着体Ｋに保持させる作業を効率化できる。
＜第６実施形態：ラベル６６０＞
図７（Ｃ）（Ｄ）を参照し、ラベル６６０について説明する。ラベル６６０は、第１内周部５８１Ｂ及び第２内周部５８２Ｂの形状が、ラベル６６０の第１内周部５７１Ｂ及び第２内周部５７２Ｂの形状と相違する。その他の構成はラベル６６０と同一である。以下、ラベル６６０と同一構成については同一符号を付し、説明を省略する。
【００６９】
図７（Ｃ）に示すように、ラベル６６０の第１貫通部５４１は、第１孔５４１Ａを形成する第１内周部５８１Ｂを有する。第１内周部５８１Ｂのうち、第１巻付部５３１に近接する側の端部（以下、「第１近接内周部Ｒ１」という。）は、直交方向に対して傾斜する。第１貫通部５４１の外周部（以下、「第１外周部５８１Ｃ」という。）のうち、第１巻付部５３１に近接する側の端部（以下、「第１近接外周部Ｓ１」という。）は、第１外周部５８１Ｃのうち第１近接内周部Ｒ１に対して最も近接する。第１近接外周部Ｓ１は直交方向に延びる。第１近接内周部Ｒ１のうち第１近接外周部Ｓ１に最も近接する部分、即ち、第１近接内周部Ｒ１のうち第３仮想ライン５５０Ｃに最も近接する部分を、第１脆弱部８６Ａという。
【００７０】
ラベル６６０の第２貫通部５４２は、第２孔５４２Ａを形成する第２内周部５８２Ｂを有する。第２内周部５８２Ｂのうち、第２巻付部５３２に近接する側の端部（以下、「第２近接内周部Ｒ２」という。）は、直交方向に対して傾斜する。第２貫通部５４２の外周部（以下、「第２外周部５８２Ｃ」という。）のうち、第２巻付部５３２に近接する側の端部（以下、「第２近接外周部Ｓ２」という。）は、第２外周部５８２Ｃのうち第２近接内周部Ｒ２に対して最も近接する。第２近接外周部Ｓ２は直交方向に延びる。第２近接内周部Ｒ２のうち第２近接外周部Ｓ２に最も近接する部分、即ち、第２近接内周部Ｒ２のうち第３仮想ライン５５０Ｃに最も近接する部分を、第２脆弱部８６Ｂという。
【００７１】
第１脆弱部８６Ａ及び第２脆弱部８６Ｂは、互いに同一形状且つ同一サイズを有する。第１脆弱部８６Ａ及び第２脆弱部８６Ｂは、第３仮想ライン５５０Ｃを基準として線対称となる位置に配置される。第１脆弱部８６Ａ及び第２脆弱部８６Ｂを総称して、「脆弱部８６」（図７（Ｄ）参照）という。第１内周部５８１Ｂ及び第２内周部５８２Ｂを総称して、「内周部５８Ｂ」（図７（Ｄ）参照）という。第１外周部５８１Ｃ及び第２外周部５８２Ｃを総称して、「外周部５８Ｃ」（図７（Ｄ）参照）という。
【００７２】
図７（Ｄ）に示すように、ラベル６６０が第１ライン５５１及び第２ライン５５２で折り曲げられた場合、脆弱部８６は、貫通部５４の長尺方向における中心に対して、巻付部５３に近接する側、且つ、直交方向における中心に対して、第３仮想ライン５５０Ｃ（図６（Ａ）参照）に近接する位置に設けられる。
【００７３】
＜第６実施形態の作用、効果＞
第５実施形態と同様、使用者がラベル６６０に加えた力は、内周部５８Ｂと外周部５８Ｃとの間の最も近接した部分に形成された脆弱部８６に集中して作用する。更に、脆弱部８６は、貫通部５４の他の部分に比べて強度が小さく破断し易い。更に第５実施形態と異なり、脆弱部８６は巻付部５３に近接する為、表示部５２及び巻付部５３が引っ張られたときに力が加わり易い。従って、使用者は、表示部５２又は巻付部５３を持ってラベル６５０を引っ張ることによって、脆弱部８６を破断させてラベル６６０の一部容易に切り離すことができる。
【００７４】
＜第７実施形態：ラベル６７０＞
図７（Ｅ）（Ｆ）を参照し、ラベル６７０について説明する。ラベル６７０は、第１脆弱部８７１Ａ、８７２Ａ、第２脆弱部８７１Ｂ、８７２Ｂを有する。第１脆弱部８７１Ａ、８７２Ａ、第２脆弱部８７１Ｂ、８７２Ｂは、それぞれ、ラベル６１０（図５参照）における第１脆弱部８１Ａ及び第２脆弱部８１Ｂ（図５参照）と同一形状且つ同一サイズを有する。ラベル６７０は、第１脆弱部８７１Ａ、８７２Ａ、第２脆弱部８７１Ｂ、８７２Ｂが巻付部５３に設けられるという点で、ラベル６１０、６２０、６３０、６４０、６５０、６６０と相違し、その他の構成は同一である。以下、ラベル６１０と同一構成については同一符号を付し、説明を省略する。
【００７５】
図７（Ｅ）に示すように、第１脆弱部８７１Ａは、第１巻付部５３１のうち、直交方向において第３仮想ライン５５０Ｃから離隔する側の端部、且つ、長尺方向において第１表示部５２１に近接する位置に設けられる。第１脆弱部８７１Ａは、第１巻付部５３１の端部から第４側に向けて延びる。第１脆弱部８７２Ａは、第１巻付部５３１のうち、直交方向において第３仮想ライン５５０Ｃに近接する側の端部、且つ、長尺方向において第１表示部５２１に近接する位置に設けられる。第１脆弱部８７２Ａは、第１巻付部５３１の端部から第３側に向けて延びる。第１脆弱部８７１Ａ、８７２Ａのそれぞれの長尺方向の位置は一致する。
【００７６】
第２脆弱部８７１Ｂは、第２巻付部５３２のうち、直交方向において第３仮想ライン５５０Ｃから離隔する側の端部、且つ、長尺方向において第２表示部５２２に近接する位置に設けられる。第２脆弱部８７１Ｂは、第２巻付部５３２の端部から第３側に向けて延びる。第２脆弱部８７２Ｂは、第２巻付部５３２のうち、直交方向において第３仮想ライン５５０Ｃに近接する側の端部、且つ、長尺方向において第２表示部５２２に近接する位置に設けられる。第２脆弱部８７２Ｂは、第２巻付部５３２の端部から第４側に向けて延びる。第２脆弱部８７１Ｂ、８７２Ｂのそれぞれの長尺方向の位置は一致する。
【００７７】
第１脆弱部８７１Ａ及び第２脆弱部８７１Ｂは、第２仮想ライン５５０Ｂを基準として線対称となる位置に配置される。第１脆弱部８７２Ａ及び第２脆弱部８７２Ｂは、第２仮想ライン５５０Ｂを基準として線対称となる位置に配置される。第１脆弱部８７１Ａ及び第２脆弱部８７１Ｂを総称して、「脆弱部８７１」（図７（Ｆ）参照）という。第１脆弱部８７２Ａ及び第２脆弱部８７２Ｂを総称して、「脆弱部８７２」（図７（Ｆ）参照）という。脆弱部８７１、８７２を総称して、「脆弱部８７」（図７（Ｆ）参照）という。
【００７８】
図７（Ｆ）に示すように、ラベル６７０が第１ライン５５１及び第２ライン５５２で折り曲げられた場合、脆弱部８７１は、巻付部５３の直交方向の中心に対して、第２仮想ライン５５０Ｂ（図７（Ｅ）参照）から離隔した位置に設けられ、脆弱部８７２は、巻付部５３の直交方向の中心に対して、第２仮想ライン５５０Ｂ（図７（Ｅ）参照）に近接した位置に設けられる。又、脆弱部８７１、８７２は、ラベル６７０が第１ライン５５１及び第２ライン５５２で折り曲げられた場合、巻付部５３の長尺方向の中心に対して、表示部５２に近接する側に設けられる。
【００７９】
＜第７実施形態の作用、効果＞
ラベル６７０では、第１巻付部５３１に第１脆弱部８７１Ａ、８７２Ａが設けられ、第２巻付部５３２に第２脆弱部８７１Ｂ、８７２Ｂが設けられる。第１巻付部５３１及び第２巻付部５３２が第２仮想ライン５５０Ｂで折り曲げられた場合、第１脆弱部８７１Ａと第２脆弱部８７１Ｂとはずれなく重複して貼り合わせられ、且つ、第１脆弱部８７２Ａと第２脆弱部８７２Ｂとはずれなく重複して貼り合わせられる。これによって、ラベル６７０の巻付部５３に脆弱部８７１、８７２が形成される。巻付部５３のうち脆弱部８７１、８７２が形成された部分の強度は、他の部分よりも弱くなる。従って使用者は、脆弱部８７１、８７２でラベル６７０を容易に破断させ、巻付部５３及び貫通部５４から表示部５２を容易に切り離して脱離させることができる。
【００８０】
ラベル６７０の場合、巻付部５３における直交方向の両端部に、脆弱部８７が設けられる。このため、例えば使用者が表示部５２を引っ張って力を加えた場合、巻付部５３は、脆弱部８７１、８７２の間の部分で適切に破断する。従って、ラベル６７０の破断時において使用者の意図しない破断面（例えば、直交方向に対して傾斜した方向に延びる破断面）が形成されることを抑制できる。
【００８１】
＜第８実施形態：ラベル６８０＞
図８（Ａ）（Ｂ）を参照し、ラベル６８０について説明する。ラベル６８０は、第１脆弱部８８Ａ及び第２脆弱部８８Ｂを有する。第１脆弱部８８Ａ及び第２脆弱部８８Ｂは、それぞれ、ラベル６１０（図５参照）における第１脆弱部８１Ａ及び第２脆弱部８１Ｂ（図５参照）と同一形状且つ同一サイズを有する。ラベル６８０は、第１脆弱部８８Ａ及び第２脆弱部８８Ｂが表示部５２に設けられるという点で、ラベル６１０、６２０、６３０、６４０、６５０、６６０、６７０と相違し、その他の構成は同一である。以下、ラベル６１０と同一構成については同一符号を付し、説明を省略する。
【００８２】
図８（Ａ）に示すように、第１脆弱部８８Ａは、第１表示部５２１のうち、直交方向において第３仮想ライン５５０Ｃから離隔する側の端部、且つ、長尺方向において第１巻付部５３１に近接する位置に設けられる。第１脆弱部８８Ａは、第１表示部５２１の端部から第４側に向けて延びる。第２脆弱部８８Ｂは、第２表示部５２２のうち、直交方向において第３仮想ライン５５０Ｃから離隔する側の端部、且つ、長尺方向において第２巻付部５３２に近接する位置に設けられる。第２脆弱部８８Ｂは、第２表示部５２２の端部から第３側に向けて延びる。第１脆弱部８８Ａ及び第２脆弱部８８Ｂは、第１仮想ライン５５０Ａを基準として線対称となる位置に配置される。第１脆弱部８８Ａ及び第２脆弱部８８Ｂを総称して、「脆弱部８８」（図８（Ｂ）参照）という。
【００８３】
図８（Ｂ）に示すように、ラベル６８０が第１ライン５５１及び第２ライン５５２で折り曲げられた場合、脆弱部８８は、表示部５２の長尺方向の中心に対して、巻付部５３に近接する側、且つ、直交方向において第１仮想ライン５５０Ａ（図８（Ａ）参照）から離隔する側に設けられる。
【００８４】
＜第８実施形態の作用、効果＞
ラベル６８０では、第１表示部５２１に第１脆弱部８８Ａが設けられ、第２表示部５２２に第２脆弱部８８Ｂが設けられる。第１表示部５２１及び第２表示部５２２が第１仮想ライン５５０Ａで折り曲げられた場合、第１脆弱部８８Ａと第２脆弱部８８Ｂとはずれなく重複して貼り合わせられる。これによって、ラベル６８０の表示部５２に脆弱部８８が形成される。表示部５２のうち脆弱部８８が形成された部分の強度は、他の部分よりも弱くなる。従って使用者は、脆弱部８８でラベル６８０を容易に破断させ、貫通部５４、巻付部５３、及び表示部５２の一部から、表示部５２の他部を容易に切り離して脱離させることができる。
【００８５】
ラベル６８０において、脆弱部８７は、長尺方向において巻付部５３に近接する側に設けられる。このため、脆弱部８８において表示部５２が破断した場合において、表示部５２のほとんどの領域を、貫通部５４及び巻付部５３から切り離すことができる。このため、例えば使用者は、ラベル６８０の表示部５２のみが不要である場合において、貫通部５４及び巻付部５３から表示部５２を適切に切り離すことができる。
【００８６】
＜第９実施形態：ラベル６１１＞
図８（Ｃ）（Ｄ）を参照し、ラベル６１１について説明する。ラベル６１１は、ラベル６１０（図５参照）の第１巻付部５３１及び第２巻付部５３２の代わりに、第１巻付部５９１及び第２巻付部５９２を有する。その他の構成はラベル６１０と同一である。第１巻付部５９１及び第２巻付部５９２は同一形状且つ同一サイズを有する。第１巻付部５９１、第２巻付部５９２を総称して「巻付部５９」という。以下、ラベル６１０と同一構成については同一符号を付し、説明を省略する。
【００８７】
巻付部５９は略長方形である。巻付部５９の長手方向は長尺方向に延びる。巻付部５９の直交方向の長さは、表示部５２の直交方向の長さよりも短い。第１巻付部５９１は、第１表示部５２１の第１側の端部のうち第４側の部分から、第１側に向けて延びる。第２巻付部５９２は、第２表示部５２２の第１側の端部のうち第３側の部分から、第１側に向けて延びる。第１巻付部５９１の第１側の端部は、第１貫通部５４１の第２側の端部のうち第４側の部分に接続する。第２巻付部５９２の第１側の端部は、第２貫通部５４２の第２側の端部のうち第３側の部分に接続する。
【００８８】
第１表示部５２１、第１巻付部５９１、及び第１貫通部５４１のそれぞれの第４側の端部の位置は、直交方向において一致する。第２表示部５２２、第２巻付部５９２、及び第２貫通部５４２のそれぞれの第３側の端部の位置は、直交方向において一致する。第１巻付部５９１の第４側の端部と、第２巻付部５９２の第３側の端部とは、第３ライン５５３を介して互いに連結される。第３ライン５５３は、基材５１１に形成されたミシン目である。なお、第２仮想ライン５５０Ｂは、第３ライン５５３に沿って配置される。第１巻付部５９１及び第２巻付部５９２は、第２仮想ライン５５０Ｂを基準として線対称となる位置に配置される。
【００８９】
第１表示部５２１、第１巻付部５９１、及び第１貫通部５４１のそれぞれの直交方向における中心位置を、Ｃ１１、Ｃ１２、Ｃ１３と表記する。この場合、Ｃ１１、Ｃ１３の直交方向の位置は一致する。Ｃ１２は、Ｃ１１、Ｃ１３よりも第４側に配置される。第２表示部５２２、第２巻付部５９２、及び第２貫通部５４２のそれぞれの直交方向における中心位置を、Ｃ２１、Ｃ２２、Ｃ２３と表記する。この場合、Ｃ２１、Ｃ２３の直交方向の位置は一致する。Ｃ２２は、Ｃ２１、Ｃ２３よりも第３側に配置される。
【００９０】
図８（Ｄ）に示すように、ラベル６１１が折り曲げられた場合、巻付部５９は、表示部５２及び貫通部５４のそれぞれの直交方向の中心に対して、第２仮想ライン５５０Ｂ（図８（Ｃ）参照）に近接する側に配置される。又、脆弱部８１は、貫通部５４の直交方向の中心に対して、第３仮想ライン５５０Ｃ（図８（Ｃ）参照）から離隔する側に配置される。つまり、脆弱部８１及び巻付部５９は、ラベル６１１の直交方向の中心に対して互いに異なる側に配置される。
【００９１】
＜第９実施形態の作用、効果＞
被着体Ｋに保持された状態のラベル６１１の表示部５２又は巻付部５９が使用者によって引っ張られた場合、貫通部５４のうち直交方向において第３ライン５５３側の位置に力が作用する。直交方向に対して不均一な力が貫通部５４に加わった場合、貫通部５４は変形し、貫通部５４のうち強度が相対的に弱い脆弱部８１に対して力を集中的に作用させることができる。従って、使用者は、弱い力でも簡単にラベル６１１を破断させ、ラベル６１１の一部を切り離すことができる。
【００９２】
＜第１０〜第１２実施形態：ラベル６２１、６３１、６４１＞
図８（Ｅ）（Ｆ）に示す第１０実施形態のラベル６２１は、ラベル６１１の脆弱部８１（第１脆弱部８１Ａ及び第２脆弱部８１Ｂ）（図８（Ｃ）（Ｄ）参照）の代わりに、第２実施形態（図６（Ａ）（Ｂ）参照）のラベル６２０の脆弱部８２（第１脆弱部８２Ａ及び第２脆弱部８２Ｂ）が適用されている。図９（Ａ）（Ｂ）に示す第１１実施形態のラベル６３１は、ラベル６１１の脆弱部８１（第１脆弱部８１Ａ及び第２脆弱部８１Ｂ）（図８（Ｃ）（Ｄ）参照）の代わりに、第３実施形態（図６（Ｃ）（Ｄ）参照）のラベル６３０の脆弱部８３（第１脆弱部８３Ａ及び第２脆弱部８３Ｂ）が適用されている。図９（Ｃ）（Ｄ）に示す第１２実施形態のラベル６４１は、ラベル６１１の脆弱部８１（第１脆弱部８１Ａ及び第２脆弱部８１Ｂ）（図８（Ｃ）（Ｄ）参照）の代わりに、第４実施形態（図６（Ｅ）（Ｆ）参照）のラベル６３０の脆弱部８４（第１脆弱部８４Ａ及び第２脆弱部８４Ｂ）が適用されている。第１０〜第１２実施形態のラベル６２１、６３１、６４１は、第２〜第４実施形態の各ラベルと同様の効果に加えて、第９実施形態のラベル６１１と同様の効果を更に奏することができる。
【００９３】
＜第１３実施形態：ラベル６５１＞
図９（Ｅ）（Ｆ）を参照し、ラベル６５１について説明する。ラベル６５１は、ラベル６５０（図７（Ａ）（Ｂ）参照）の第１巻付部５３１及び第２巻付部５３２の代わりに、第１巻付部５６１及び第２巻付部５６２を有する。その他の構成はラベル６５０と同一である。第１巻付部５６１及び第２巻付部５６２は同一形状且つ同一サイズを有する。第１巻付部５６１、第２巻付部５６２を総称して「巻付部５６」という。以下、ラベル６５０と同一構成については同一符号を付し、説明を省略する。
【００９４】
巻付部５６は略長方形である。巻付部５６の長手方向は長尺方向に延びる。巻付部５６の直交方向の長さは、表示部５２の直交方向の長さよりも短い。第１巻付部５６１は、第１表示部５２１の第１側の端部のうち第３側の部分から、第１側に向けて延びる。第２巻付部５６２は、第２表示部５２２の第１側の端部のうち第４側の部分から、第１側に向けて延びる。第１巻付部５６１の第１側の端部は、第１貫通部５４１の第２側の端部のうち第３側の部分に接続する。第２巻付部５６２の第１側の端部は、第２貫通部５４２の第２側の端部のうち第４側の部分に接続する。
【００９５】
第１表示部５２１、第１巻付部５６１、及び第１貫通部５４１のそれぞれの第３側の端部の位置は、直交方向において一致する。第２表示部５２２、第２巻付部５６２、及び第２貫通部５４２のそれぞれの第４側の端部の位置は、直交方向において一致する。第１巻付部５６１と第２巻付部５６２とは、直交方向に離隔する。第１巻付部５６１及び第２巻付部５６２は、第２仮想ライン５５０Ｂを基準として線対称となる位置に配置される。
【００９６】
第１表示部５２１、第１巻付部５６１、及び第１貫通部５４１のそれぞれの直交方向における中心位置を、Ｃ３１、Ｃ３２、Ｃ３３と表記する。この場合、Ｃ３１、Ｃ３３の直交方向の位置は一致する。Ｃ３２は、Ｃ３１、Ｃ３３よりも第３側に配置される。第２表示部５２２、第２巻付部５６２、及び第２貫通部５４２のそれぞれの直交方向における中心位置を、Ｃ４１、Ｃ４２、Ｃ４３と表記する。この場合、Ｃ４１、Ｃ４３の直交方向の位置は一致する。Ｃ４２は、Ｃ４１、Ｃ４３よりも第４側に配置される。
【００９７】
図９（Ｆ）に示すように、ラベル６５１が折り曲げられた場合、巻付部５６は、表示部５２及び貫通部５４のそれぞれの直交方向の中心に対して、第２仮想ライン５５０Ｂ（図９（Ｅ）参照）から離隔する側に配置される。又、脆弱部８５は、貫通部５４の直交方向の中心に対して第３仮想ライン５５０Ｃから離隔する側に配置される。つまり、脆弱部８５及び巻付部５６は、ラベル６５１の直交方向の中心に対して同じ側に配置される。
【００９８】
＜第１３実施形態の作用、効果＞
第９〜第１２実施形態と同様の効果を奏することができる。又、脆弱部８５及び巻付部５６が、ラベル６５１の直交方向の中心に対して互いに同じ側に配置されるので、使用者が表示部５２又は巻付部５６を引っ張ることに応じて貫通部５４に作用する力を、貫通部５４のうち強度が相対的に弱い脆弱部８５に集中的に作用させることができる。従って、使用者は、更に弱い力で簡単にラベル６５１を破断させ、表示部５２及び巻付部５６を貫通部５４から切り離すことができる。
【００９９】
＜第１４〜第１６実施形態：ラベル６６１、６７１、６８１＞
図１０（Ａ）（Ｂ）に示す第１４実施形態のラベル６６１は、ラベル６１１の脆弱部８１（第１脆弱部８１Ａ及び第２脆弱部８１Ｂ）（図８（Ｃ）（Ｄ）参照）の代わりに、第６実施形態（図７（Ｃ）（Ｄ）参照）のラベル６６０の脆弱部８６（第１脆弱部８６Ａ及び第２脆弱部８６Ｂ）が適用されている。図１０（Ｃ）（Ｄ）に示す第１５実施形態のラベル６７１は、ラベル６１１の脆弱部８１（第１脆弱部８１Ａ及び第２脆弱部８１Ｂ）（図８（Ｃ）（Ｄ）参照）の代わりに、第７実施形態（図７（Ｅ）（Ｆ）参照）のラベル６７０の脆弱部８７（第１脆弱部８７１Ａ、８７２Ａ、第２脆弱部８７１Ｂ、８７２Ｂ）が適用されている。図１０（Ｅ）（Ｆ）に示す第１６実施形態のラベル６８１は、ラベル６１１の脆弱部８１（第１脆弱部８１Ａ及び第２脆弱部８１Ｂ）（図８（Ｃ）（Ｄ）参照）の代わりに、第８実施形態（図８（Ａ）（Ｂ）参照）のラベル６８０の脆弱部８８（第１脆弱部８８Ａ及び第２脆弱部８８Ｂ）が適用されている。第１４〜第１６実施形態のラベル６２１、６３１、６４１は、第６〜第８実施形態の各ラベルと同様の効果に加えて、第９実施形態のラベル６１１と同様の効果を奏することができる。
【０１００】
＜第１７実施形態：ラベル６９０＞
図１１（Ａ）〜（Ｃ）を参照し、ラベル６９０について説明する。ラベル６９０は、ラベル６１０（図５参照）の第１貫通部５４１に第１相違部１８が形成され、第２巻付部５３２に第２相違部１９が形成される。その他の構成はラベル６１０と同一である。以下、ラベル６１０と同一構成については同一符号を付し、説明を省略する。
【０１０１】
図１１（Ａ）に示すように、第１貫通部５４１は、スリット状の第１相違部１８Ａ、１８Ｂを有する。第１相違部１８Ａは、第１貫通部５４１のうち第１孔５４１Ａに対して第３側、且つ、第１脆弱部８１Ａに対して第２側に形成される。第１相違部１８Ｂは、第１貫通部５４１のうち第１孔５４１Ａに対して第４側に形成される。第１相違部１８Ａ、１８Ｂを総称して、「第１相違部１８」という。第１相違部１８は直交方向に延びる。第１貫通部５４１は第１相違部１８によって、第１側の部分と第２側の部分とに分割される。第２巻付部５３２は、スリット状の第２相違部１９を有する。第２相違部１９は、第２巻付部５３２のうち長尺方向の中央に形成され、直交方向に延びる。第２巻付部５３２は第２相違部１９によって、第１側の部分と第２側の部分とに分割される。
【０１０２】
第１相違部１８は第１貫通部５４１にのみ形成されるため、第１貫通部５４１及び第２貫通部５４２は、それぞれ形状が相違する。第２相違部１９は第２巻付部５３２にのみ形成されるため、第１巻付部５３１及び第２巻付部５３２は、それぞれ形状が相違する。
【０１０３】
図１１（Ｂ）は、第１ライン５５１及び第２ライン５５２においてラベル６９０が折り曲げられ、ラベル６９０のうち粘着剤が塗布された面同士が貼り合わせられた状態を示す。このとき、第２貫通部５４２の粘着剤が塗布された面のうち、第１貫通部５４１の第１相違部１８Ａ、１８Ｂに対応する部分（以下、「露出部分１８０」という。）は露出する。なお、第１脆弱部８１Ａ及び第２脆弱部８１Ｂは、貫通部５４のうち露出部分１８０に対して巻付部５３から離隔する側でずれなく重複する。又、第１巻付部５３１の粘着剤が塗布された面のうち、第２巻付部５３２の第２相違部１９に対応する部分（以下、「露出部分１９０」という。）は露出する。露出部分１８０、１９０は、折り曲げられた状態のラベル６９０のうち互いに異なる面に配置される。図１１（Ｂ）において、露出部分１８０は紙面手前側の面に配置され、露出部分１９０は紙面奥側の面に配置される。
【０１０４】
図１１（Ｃ）を参照し、被着体Ｋに対するラベル６９０の取り付け方法について説明する。（ａ）に示すように、ラベル媒体６０の台紙５１２（図５参照）からラベル６９０が剥がされる。（ｂ）に示すように、使用者は、ラベル６９０を第１ライン５５１及び第２ライン５５２で折り曲げ、ラベル６９０のうち粘着剤が塗布された面同士を貼り合わせる。次に、（ｃ）に示すように、使用者は巻付部５３を折り曲げ、表示部５２及び巻付部５３を貫通部５４の孔５４Ａに通す。このとき、露出部分１８０が内側に配置され、露出部分１９０が外側に配置された状態で巻かれるように、向きが調整される。これにより、巻付部５３は被着体Ｋに巻き付く。このとき、（ｄ）に示すように、露出部分１８０の粘着剤は、被着体Ｋに接触して貼付される。又、露出部分１９０は貫通部５４の一部に対向して重複し、露出部分１９０の粘着剤は貫通部５４に貼付される。これにより、被着体Ｋに対するラベル６９０の取り付けは完了する。ラベル６９０は、被着体Ｋに巻付部５３が巻き付いた状態で、被着体Ｋに保持される。
【０１０５】
＜第１７実施形態の作用、効果＞
ラベル６９０において、第１貫通部５４１及び第２貫通部５４２は互いに形状が相違する。このため、第１貫通部５４１及び第２貫通部５４２が貼り合わせられた場合、露出部分１８０において粘着剤が露出する。従ってラベル６９０は、貼り合わせられた貫通部５４のうち露出部分１８０を被着体Ｋに貼付させることができる。これによって、ラベル６９０が被着体Ｋの延伸方向に移動することを抑制できる。
【０１０６】
又、ラベル６９０において、第１巻付部５３１及び第２巻付部５３２は互いに形状が相違する。このため、第１巻付部５３１及び第２巻付部５３２が貼り合わせられた場合、露出部分１９０において粘着剤が露出する。従ってラベル６９０は、貼り合わせられた巻付部５３のうち露出部分１９０を貫通部５４に貼付させることができる。これによって、被着体Ｋに巻き付いた巻付部５３が緩むことを抑制できるので、孔５４Ａから表示部５２を抜け難くすることができる。
【０１０７】
更に、ラベル６９０において、第１貫通部５４１に第１脆弱部８１Ａが設けられ、第２貫通部５４２に第２脆弱部８１Ｂが設けられる。第１脆弱部８１Ａ及び第２脆弱部８１Ｂは、ラベル６９０が折り曲げられた場合にずれなく重複して貼り合わせられ、貫通部５４に脆弱部８１が形成される。従って、使用者は、貫通部５４を脆弱部８１で破断させることによって、貫通部５４のうち脆弱部８１よりも巻付部５３側、巻付部５３、及び表示部５２を、被着体Ｋから容易に切り離して脱離させることができる。
【０１０８】
＜第１８実施形態：ラベル６１２＞
図１２を参照し、ラベル媒体９０について説明する。ラベル媒体９０は、長尺状の基材５１３を有し、第１〜第１６実施形態における台紙５１２、及び粘着層を有さない。基材５１３は、後述するラベル９０Ａ、９０Ｂ、９０Ｃ・・・（総称して「ラベル９１０」という。）、及び、枠状部５０を有する。ラベル９０Ａ、９０Ｂ、９０Ｃ・・・は、ラベル媒体９０の長尺方向に並んで配置される。基材５１３のうちラベル９１０と枠状部５０との境界部分には、ミシン目が形成される。ラベル９１０は、ミシン目が切断されることによって、枠状部５０から切り離される。ラベル媒体９０のうち図１２の右側の端部は、テープスプール７２に接続する。ラベル媒体６０は、図１２の左側の端部側から順にサーマルヘッド２９の近傍を通過して印刷が実行され、ラベル排出口２６を介して排出される。以下、第１〜第１６実施形態における各方向（長尺方向（第１側、第２側）、直交方向（第３側、第４側））を、第１８実施形態にも適用する。
【０１０９】
ラベル９１０は、第１実施形態におけるラベル６１０（図５参照）が第１ライン５５１及び第２ライン５５２で折り曲げられた場合と同じ形状を有する。以下、折り曲げられた状態におけるラベル６１０の各部位の名称及び符号を、ラベル９１０にも適用する。ラベル９１０は、表示部５２、巻付部５３、貫通部５４を有する。表示部５２は、情報が印刷される領域５２Ａを有する。巻付部５３は、被着体Ｋに巻きつけられる。貫通部５４は孔５４Ａを有する。ラベル９１０は、表示部５２及び巻付部５３が貫通部５４の孔５４Ａに貫通することによって、被着体Ｋに取り付けられる。表示部５２、巻付部５３、及び貫通部５４は、この順で、長尺方向に沿って第１側に向けて並ぶ。貫通部５４の孔５４Ａを形成する内周部５４Ｂに、脆弱部８１が設けられる。脆弱部８１は、略三角形の切れ込みである。被着体Ｋに対してラベル９１０が取り付けられる場合、ラベル６１０（図５参照）において第１ライン５５１及び第２ライン５５２で折り曲げられる工程（図５（ａ）→（ｂ）参照）が省略される。その他の工程（図５（ｂ）（ｃ）（ｄ））は、ラベル６１０の場合と同一である。第１８実施形態によれば、第１実施形態と同様の効果を奏することができる。
【０１１０】
＜第１９〜第３３実施形態＞
第１９〜第３３実施形態における各ラベル（ラベル９２０、９３０、９４０、９５０、９６０、９７０、９８０、９１１、９２１、９３１、９４１、９５１、９６１、９７１、９８１）は、第１８実施形態におけるラベル９１０（図１２参照）の場合と同様、第２〜第１６実施形態における各ラベルが第１ライン５５１及び第２ライン５５２で折り曲げられた場合と同じ形状を有する。以下、折り曲げられた状態における第２〜第１６実施形態の各ラベルの各部位の名称及び符号を、第１９〜第３３実施形態における各ラベルにも適用する。
【０１１１】
図６（Ｂ）に示す第１９実施形態のラベル９２０は、第２実施形態におけるラベル６２０（図６（Ａ）（Ｂ）参照）が折り曲げられた場合と同じ形状を有する。図６（Ｄ）に示す第２０実施形態のラベル９３０は、第３実施形態におけるラベル６３０（図６（Ｃ）（Ｄ）参照）が折り曲げられた場合と同じ形状を有する。図６（Ｆ）に示す第２１実施形態のラベル９４０は、第４実施形態におけるラベル６４０（図６（Ｅ）（Ｆ）参照）が折り曲げられた場合と同じ形状を有する。図７（Ｂ）に示す第２２実施形態のラベル９５０は、第５実施形態におけるラベル６５０（図７（Ａ）（Ｂ）参照）が折り曲げられた場合と同じ形状を有する。図７（Ｄ）に示す第２３実施形態のラベル９６０は、第６実施形態におけるラベル６６０（図７（Ｃ）（Ｄ）参照）が折り曲げられた場合と同じ形状を有する。図７（Ｆ）に示す第２４実施形態のラベル９７０は、第７実施形態におけるラベル６７０（図７（Ｅ）（Ｆ）参照）が折り曲げられた場合と同じ形状を有する。図８（Ｂ）に示す第２５実施形態のラベル９８０は、第８実施形態におけるラベル６８０（図８（Ａ）（Ｂ）参照）が折り曲げられた場合と同じ形状を有する。図８（Ｄ）に示す第２６実施形態のラベル９１１は、第９実施形態におけるラベル６１１（図８（Ｃ）（Ｄ）参照）が折り曲げられた場合と同じ形状を有する。図８（Ｆ）に示す第２７実施形態のラベル９２１は、第１０実施形態におけるラベル６２１（図８（Ｅ）（Ｆ）参照）が折り曲げられた場合と同じ形状を有する。図９（Ｂ）に示す第２８実施形態のラベル９３１は、第１１実施形態におけるラベル６３１（図９（Ａ）（Ｂ）参照）が折り曲げられた場合と同じ形状を有する。図９（Ｄ）に示す第２９実施形態のラベル９４１は、第１２実施形態におけるラベル６４１（図９（Ｃ）（Ｄ）参照）が折り曲げられた場合と同じ形状を有する。図９（Ｆ）に示す第３０実施形態のラベル９５１は、第１３実施形態におけるラベル６５１（図９（Ｅ）（Ｆ）参照）が折り曲げられた場合と同じ形状を有する。図１０（Ｂ）に示す第３１実施形態のラベル９６１は、第１４実施形態におけるラベル６６１（図１０（Ａ）（Ｂ）参照）が折り曲げられた場合と同じ形状を有する。図１０（Ｄ）に示す第３２実施形態のラベル９７１は、第１５実施形態におけるラベル６７１（図１０（Ｃ）（Ｄ）参照）が折り曲げられた場合と同じ形状を有する。図１０（Ｆ）に示す第３３実施形態のラベル９８１は、第１６実施形態におけるラベル６８１（図１０（Ｅ）（Ｆ）参照）が折り曲げられた場合と同じ形状を有する。第１９〜第３３実施形態に係る各ラベルは、第２〜第１６実施形態と同様の効果を奏することができる。
【０１１２】
＜変形例＞
本発明は上記実施形態に限定されず、種々の変更が可能である。以下、特段限定のない限り、第１実施形態におけるラベル６１０を例に挙げて説明するが、他の実施形態（第２〜第３３実施形態）にも同様の変形例が適用可能である。
【０１１３】
第１表示部５２１及び第２表示部５２２のそれぞれの少なくとも一部が、第１仮想ライン５５０Ａを基準として線対称となる位置に配置されればよい。従って、第１表示部５２１及び第２表示部５２２の形状及びサイズは相違していてもよい。第１巻付部５３１及び第２巻付部５３２のそれぞれの少なくとも一部が、第２仮想ライン５５０Ｂを基準として線対称となる位置に配置されればよい。従って、第１巻付部５３１及び第２巻付部５３２の形状及びサイズは相違していてもよい。第１貫通部５４１及び第２貫通部５４２のそれぞれの少なくとも一部が、第３仮想ライン５５０Ｃを基準として線対称となる位置に配置されればよい。従って、第１貫通部５４１及び第２貫通部５４２の形状及びサイズは相違していてもよい。第１孔５４１Ａ、第２孔５４２Ａのそれぞれの少なくとも一部が、第３仮想ライン５５０Ｃを基準として線対称となる位置に配置されればよい。第１孔５４１Ａ、第２孔５４２Ａの形状及びサイズは相違していてもよい。貫通部５４は、孔５４Ａの代わりに切れ目を有していてもよい。又、貫通部５４は孔５４Ａと切れ目の両方を有していてもよい。孔５４Ａ及び切れ目の少なくとも一方の一部は、巻付部５３に設けられていてもよい。即ち、孔５４Ａ及び切れ目は、貫通部５４からはみ出していてもよい。
【０１１４】
上記において、「仮想ラインに対して線対称」とは、厳密な対称関係だけでなく、実質的に対称関係を有している場合を包含することは言うまでもない。このため例えば、第１表示部５２１と第２表示部５２２、第１巻付部５３１と第２巻付部５３２、第１貫通部５４１と第２貫通部５４２、第１孔５４１Ａと第２孔５４２Ａは、それぞれ、仮想ラインに対する対称形状に対して僅かに相違していてもよい。
【０１１５】
基材５１１は、枠状部５０を有していなくてもよい。つまり、台紙５１２にはラベル６１０のみ貼付されていてもよい。台紙５１２には、ラベル６１０が貼付される第１領域と、ラベル６１０が貼付されない第２領域とを含むことになる。この場合、使用者は、台紙５１２からラベル６１０を容易に剥がすことができる。
【０１１６】
脆弱部８１が設けられる位置は、第１実施形態に限定されないことは言うまでもない。即ち、脆弱部８１は、表示部５２、巻付部５３、及び、貫通部５４の何れかの位置に設けられていればよい。又、脆弱部８１が貫通部５４に設けられる場合、内周部及び外周部の少なくとも何れかに設けられていればよい。更に、第１脆弱部８１Ａは、第１表示部５２１、第１巻付部５３１、第１貫通部５４１に対して複数設けられていてもよい。同様に、第２脆弱部８１Ｂは、第２表示部５２２、第２巻付部５３２、第２貫通部５４２に対して複数設けられていてもよい。
【０１１７】
脆弱部８１は、ミシン目、スリット、切れ込み、有底孔の少なくとも何れかであればよい。脆弱部８１は、ミシン目、スリット、切れ込み、有底孔のうち少なくとも２つ以上を有していてもよい。
【０１１８】
脆弱部が切れ込みの場合、切れ込みを形成する２辺であって、底部に向けて延び且つ互いに対向する２辺は、脆弱部８１等のように幅方向に離隔してもよいし、接触していてもよい。即ち、脆弱部８１は、表示部５２、巻付部５３、貫通部５４の一部を欠損させることによって形成されるのではなく、例えば、カッター等によって切断することによって形成されてもよい。脆弱部の形状は、三角形以外の他の形状でもよい。
【０１１９】
脆弱部は、ミシン目、スリット、切れ込み、有底孔以外によって形成されてもよい。例えば、表示部５２、巻付部５３、貫通部５４の一部を、他部の材料よりも強度の小さい材料によって構成してもよい。図７（Ａ）〜（Ｄ）において、第１近接内周部Ｐ１、Ｒ１、第２近接内周部Ｐ２、Ｒ２は、それぞれ、直交方向と平行に延びてもよい。この場合、脆弱部に対応する部分の角は湾曲しておらず、交差する２辺のなす角度が直角であってもよい。
【０１２０】
第１脆弱部８１Ａと第２脆弱部８１Ｂとのそれぞれの少なくとも一部が、第３仮想ライン５５０Ｃを基準として線対称となる位置に配置されればよい。従って、第１脆弱部８１Ａ及び第２脆弱部８１Ｂの形状及びサイズは相違していてもよい。図１３は、第１実施形態におけるラベル６１０の変形例を示す。変形例におけるラベル６１０は、図１３（Ａ）に示すように、第１脆弱部８１Ａ（図５参照）の代わりに、第２脆弱部８１Ｂと形状が相違する第１脆弱部８１Ｃを有する。第１脆弱部８１Ｃは、角が湾曲した略四角形状を有する切れ込みである。第１脆弱部８１Ｃの底部までの長さ（深さ）は、第２脆弱部８１Ｂの底部までの長さ（深さ）よりも大きい。第１ライン５５１及び第２ライン５５２によってラベル６１０を折り曲げた場合、図１３（Ｂ）に示すように、第２脆弱部８１Ｂは、第１脆弱部８１Ｃによって周囲を覆われる。つまり、第３仮想ライン５５０Ｃを基準として第２脆弱部８１Ｂを反転させたときの像全体は、第１脆弱部８１Ｃに含まれる。 
【０１２１】
上記変形例では、第３仮想ライン５５０Ｃでラベル６１０を折り曲げたときに第１脆弱部８１Ｃと第２脆弱部８１Ｂのそれぞれの少なくとも一部が重複し易くなる。従って使用者は、ラベル６１０を折り曲げる場合の位置が、第１ライン５５１及び第２ライン５５２から僅かにずれた場合でも、第１脆弱部８１Ｃと第２脆弱部８１Ｂとの重複部分でラベル６１０を容易に切り離すことができる。
【０１２２】
なお、上記変形例において、第３仮想ライン５５０Ｃを基準として第２脆弱部８１Ｂを反転させたときの像全体が第１脆弱部８１Ｃに含まれていなくてもよく、例えば、第２脆弱部８１Ｂを反転させたときの像の一部が第１脆弱部８１Ｃに含まれていてもよい。
【０１２３】
第１７実施形態のラベル６９０において、第１貫通部５４１のうち第１相違部１８が設けられる位置は特段限定されず、他の位置であってもよい。第２巻付部５３２のうち第２相違部１９が設けられる位置は特段限定されず、他の位置であってもよい。又、ラベル６９０は、第１相違部１８及び第２相違部１９の何れかのみ有していてもよい。即ち、ラベル６９０は、第１貫通部５４１に第１相違部１８が設けられ、第２貫通部５４２に第２相違部１９が設けられていなくてもよい。又は、ラベル６９０は、第２貫通部５４２に第２相違部１９が設けられ、第１貫通部５４１に第１相違部１８が設けられていなくてもよい。
【符号の説明】
【０１２４】
１        ：印字装置
５２      ：表示部
５３、５６、５９      ：巻付部
５４      ：貫通部
５４Ａ    ：孔
５４Ｂ、５７Ｂ、５９Ｂ    ：内周部
５７Ｃ、５８Ｃ    ：外周部
６０、９０      ：ラベル媒体
８１、８２、８３、８４、８５、８６、８７、８７１、８７２、８８      ：脆弱部
８１Ａ、８１Ｃ、８２Ａ、８３Ａ、８４Ａ、８５Ａ、８６Ａ、８７１Ａ、８７２Ａ、８８Ａ  ：第１脆弱部
８１Ｂ、８２Ｂ、８３Ｂ、８４Ｂ、８５Ｂ、８６Ｂ、８７１Ｂ、８７２Ｂ、８８Ｂ  ：第２脆弱部
５２１    ：第１表示部
５２２    ：第２表示部
５３１、５６１、５９１    ：第１巻付部
５３２、５６２、５９２    ：第２巻付部
５４１    ：第１貫通部
５４１Ａ  ：第１孔
５４１Ｂ  ：第１内周部
５４２    ：第２貫通部
５４２Ａ  ：第２孔
５４２Ｂ  ：第２内周部
５５０Ａ  ：第１仮想ライン
５５０Ｂ  ：第２仮想ライン
５５０Ｃ  ：第３仮想ライン
５７１Ｂ、５８１Ｂ  ：第１内周部
５７１Ｃ、５８１Ｃ  ：第１外周部
５７２Ｂ、５８２Ｂ  ：第２内周部
５７２Ｃ、５８２Ｃ  ：第２外周部
６１０、６１１、６１２、６２０、６２１、６３０、６３１、６４０、６４１、６５０、６５１、６６０、６６１、６７０、６７１、６８０、６８１、６９０、９１０、９１１、９２０、９２１、９３０、９３１、９４０、９４１、９５０、９５１、９６０、９６１、９７０、９７１、９８０、９８１    ：ラベル
Ｋ        ：被着体
Ｐ１、Ｒ１      ：第１近接内周部
Ｑ１、Ｓ１      ：第１近接外周部
Ｐ２、Ｒ２      ：第２近接内周部
Ｑ２、Ｓ２      ：第２近接外周部
【図１】
2019066535.tif 000003
【図２】
2019066535.tif 000004
【図３】
2019066535.tif 000005
【図４】
2019066535.tif 000006
【図５】
2019066535.tif 000007
【図６】
2019066535.tif 000008
【図７】
2019066535.tif 000009
【図８】
2019066535.tif 000010
【図９】
2019066535.tif 000011
【図１０】
2019066535.tif 000012
【図１１】
2019066535.tif 000013
【図１２】
2019066535.tif 000014
【図１３】
2019066535.tif 000015